(57)【要約】      （修正有）【課題】非常に簡単な構成でありながら、多人数の出席登録の処理を短時間で正確に行うこと及びリアルタイムな関連情報を学生に通知することが可能であり且つ不正の防止も容易に行なうことを可能にする。【解決手段】学生データが予め記録された学生用の出席カード１と、教員用のコンピュータ３と、コンピュータ３に接続され且つ出席カード１に記録された学生データを読み取る読み取り装置２とを備えている。コンピュータ３は、ファイル部３１上の各種データを出力可能な出力部３２と、教員が行なう授業対象を特定する授業特定データが少なくとも設定入力可能な入力部３３と、読み取り装置２の出力に基づいて学生データが読み取られたか否かを検出するリード検出部３４と、当該学生データに対応する学生の出席情報を当該授業特定データに対応する授業対象の出席ファイル３１１に記録させるファイル部３１とを有している。【選択図】図１
2009163343.tif 000002
【特許請求の範囲】
【請求項１】
学生データが予め記録された学生用のＩＤカードと、教員用のコンピュータと、コンピュータに接続され且つＩＤカードに記録された学生データを読み取る読み取り装置とを備え、前記コンピュータは、教員が行なう授業対象を特定する授業特定データが少なくとも設定入力可能な入力部と、授業特定データに対応する授業対象毎の出席ファイルとその出席ファイルを集計した集計ファイルを記録するファイル部と、ファイル部上の各種データを出力可能にする出力部と、読み取り装置の出力に基づいて学生データが読み取られたか否かを検出するリード検出部と、リード検出部の検出結果に応じて少なくとも当該学生データに対応する学生の出席情報を上記設定入力された授業特定データに対応する授業対象の出席ファイルに記録させる制御部とを有したことを特徴とする授業支援システム。
【請求項２】
前記ファイル部に授業対象を履修する学生の学生番号及び／又は氏名その他の学生情報が予め記録されている場合の請求項１記載の授業支援システムにおいて、前記入力部は、入室管理モードと退室管理モードとの切り換えが可能な機能を有し、前記制御部は、入室管理モードにおいて前記リード検出部により学生データの読み取りが検出されると、当該学生データに対応する学生の学生情報及び上記検出された時点の入室時間を前記出席情報として出席ファイルに記録させる一方、退室管理モードにおいて前記リード検出部により学生データの読み取りが検出されると、当該学生データに対応する学生の学生情報及び上記検出された時点の退室時間を前記出席情報として出席ファイルに記録させるようになっていることを特徴とする授業支援システム。
【請求項３】
請求項１記載の授業支援システムにおいて、前記入力部は、マニュアル入力モードが設定可能な機能を有し、授業対象を履修する学生を特定する学生特定データに加えて、当該学生のカード忘れ情報、公欠情報、遅刻情報及び／又は早退情報その他の関連情報が入力可能となっており、前記制御部は、マニュアル入力モードにおいて上記入力された学生特定データに対応する学生情報及び入力された関連情報が上記設定入力された授業特定データに対応する授業対象の出席ファイルに記録させるようになっていることを特徴とする授業支援システム。
【請求項４】
請求項２記載の授業支援システムにおいて、前記入力部は、入退室者リスト表示モードが設定可能な機能を有しており、前記制御部は、入退室者リスト表示モードにおいて上記設定入力された授業特定データに対応する授業対象の出席ファイルを前記ファイル部から読み出し、当該授業対象を履修する全学生についての学生情報及び入室情報／退室情報を示した入退室者リストを前記出力部に出力させることを特徴とする授業支援システム。
【請求項５】
請求項１記載の授業支援システムにおいて、前記入力部は、入退室履歴リスト表示モードが設定可能な機能を有しており、前記制御部は、入退室履歴リスト表示モードにおいて上記設定入力された授業特定データに対応する授業対象の出席ファイルを前記ファイル部から読み出し、当該授業対象を履修する全学生についての学生情報及び出席情報を授業日別に示した入退室履歴リストを前記出力部に出力させることを特徴とする授業支援システム。
【請求項６】
請求項１又は２記載の授業支援システムにおいて、前記入力部は、集計処理モードが設定可能な機能を有しており、前記制御部は、集計処理モードにおいて上記設定入力された授業特定データに対応する授業対象の出席ファイルを前記ファイル部から読み出し、当該授業対象を履修する全学生の出席情報に基づいて各学生の出席回数及び／又は受講時間等を集計し、この集計データを当該授業対象の集計ファイルに記録させるようになっていることを特徴とする授業支援システム。
【請求項７】
前記ファイル部に授業対象を履修する学生の呼出状況、レポート提出状況その他の付記情報が予め記録されている場合の請求項１記載の授業支援システムにおいて、前記制御部は、前記リード検出部により学生データの読み取りが検出されると、当該学生データに対応する学生の出席情報及び付記情報を読み出して前記出力部に出力させることを特徴とする授業支援システム。
【請求項８】
請求項１記載の授業支援システムにおいて、前記ＩＤカードは、表面に学生の氏名等が明記されたベース板材と、ベース板材に貼り付けられたＲＦＩＤタグと、前記ベース板材及びＲＦＩＤタグの外面を覆う透明のラミネートフィルムとを有していることを特徴とする授業支援システム。
【請求項９】
請求項８記載の授業支援システムにおいて、前記ラミネートフィルムの縁部に切れ目が形成されていることを特徴とする授業支援システム。
【請求項１０】
コンピュータを少なくとも請求項１乃至７のリード検出部及び制御部として機能させるプログラム。
【請求項１１】
請求項１０のプログラムを記録したコンピュータに読み取り可能な記録媒体。
【発明の詳細な説明】
【技術分野】
【０００１】
本発明は例えばＲＦＩＤ(Radio Frequency IDentification)等の電子タグが備えられた出席カードを使用して多人数授業の出席情報を自動的に記録・集計して且つリアルタイムな関連情報を学生に通知することが可能な授業支援システム等に関する。
【背景技術】
【０００２】
大学の講義等においては教員が授業を履修する学生の出席登録や集計等の各処理を行うのに膨大な時間を費やし、これに伴って講義時間の減少を招いていたため、出席情報等を自動的に記録する装置が提案されている（例えば、特許文献１参照）。
【０００３】
この種の装置においては、学生が保有するカメラ機能付きの携帯電話装置を使用している。即ち、学生が携帯電話装置を用いて自分の机に貼られた識別番号を撮影して、学校に設置されたホスト装置に送信すると、ホスト装置が受信された机の識別情報と携帯電話装置の識別情報により、いかなる生徒（携帯電話）がいかなる授業（机）に出席しているかを確認可能になっている。
【０００４】
【特許文献１】特開２００５−３０１７５７号公報
【発明の開示】
【発明が解決しようとする課題】
【０００５】
しかしながら、全ての学生がカメラ機能付きの携帯電話装置を保有していることが基本的前提となっており、この面で必ずしも現実的なシステムとは言えない。そして、学生の携帯電話装置を使用する以上、システム全体の構成が複雑となっている。また、学生や教員にとって使い勝手の良いシステムとするためには、ホスト装置の処理能力や電話回線数に余裕を持たせたり、ホスト装置と教員用のコンピュータとの間を通信接続することが必要不可欠となり、これに伴って、コスト高を招来するという問題がある。しかも簡単なシステムであれば、コスト面でメリットがあるものの、友人の携帯電話装置を借りて代理で出席確認を受けることが容易に行なうことができ、不正の防止が困難という別の問題もある。
【０００６】
本発明は上記した背景の下で創作されたものであって、その目的とするところは、非常に簡単な構成であるにもかかわらず、多人数の出席登録の処理を短時間で正確に行うことが可能であり且つリアルタイムな関連情報を学生に通知し且つ不正の防止を容易に行なうことが可能な授業支援システム等を提供することにある。
【課題を解決するための手段】
【０００７】
本発明に係る授業支援システムは、学生データが予め記録された学生用のＩＤ(IDentification)カードと、教員用のコンピュータと、コンピュータに接続され且つＩＤカードに記録された学生データを読み取る読み取り装置とを備え、コンピュータは、教員が行なう授業対象を特定する授業特定データが少なくとも設定入力可能な入力部と、授業特定データに対応する授業対象毎の出席情報を出席ファイルとして記録するファイル部と、ファイル部上の各種データを出力可能にする出力部と、読み取り装置の出力に基づいて学生データが読み取られたか否かを検出するリード検出部と、リード検出部の検出結果に応じて少なくとも当該学生データに対応する学生の出席情報を上記設定入力された授業特定データに対応する授業対象の出席ファイルに記録させる制御部とを有している。
【０００８】
この発明によると、教員がコンピュータに授業特定データを設定入力することにより、コンピュータにおいて授業対象が設定される。この状態で、学生がＩＤカードを読み取り装置にセットすると、ＩＤカードの学生データが読み取られ、コンピュータによって学生データに対応する学生の出席情報が上記設定された授業対象の出席ファイルに記録される。教員はコンピュータを通じて必要な出席情報を任意に出力可能となる。
【０００９】
よって、教員がコンピュータに授業特定データを設定入力し、学生がＩＤカードを読み取り装置にセットするだけで、学生の出席情報がコンピュータに記録されることから、多人数の学生の出席登録の処理を短時間で正確に行うことが可能となり且つＩＤカードを読み取り時にリアルタイムな関連情報を学生へ通知することが可能となり、学生や教員にとって使い勝手が良いものとなる。また、読み取り装置が教員用のコンピュータに接続され、学生にしてみれば、教員の面前又は近くでＩＤカードを読み取り装置へ順番にセットする形になることから、現実問題として従来のような不正を行なうことが困難である。しかもシステム自体が学生用のＩＤカード、読み取り装置、教員用のコンピュータという非常に簡単な構成となっていることから、低コスト化を図ることも可能であり、非常に実用的なシステムである。
【００１０】
ファイル部に授業対象を履修する学生の学生番号及び／又は氏名その他の学生情報が予め記録されている場合、入力部については、入室管理モードと退室管理モードとの切り換えが可能な機能を有したものを用いると良い。この場合、制御部については、入室管理モードにおいてリード検出部により学生データの読み取りが検出されると、当該学生データに対応する学生の学生情報及び上記検出された時点の入室時間を出席情報として出席ファイルに記録させる一方、退室管理モードにおいてリード検出部により学生データの読み取りが検出されると、当該学生データに対応する学生の学生情報及び上記検出された時点の退室時間を出席情報として出席ファイルに記録させるようになっている。
【００１１】
この発明によると、教員がコンピュータを入室管理モードに設定し、この状態で、学生がＩＤカードを読み取り装置にセットし、読み取り装置によって学生データが読み取られると、入室時間を含んだ学生の出席情報がコンピュータに上記の通りに記録され、同時に学生の出席状況や呼び出し等の関連情報が通知される。その後、教員がコンピュータを退室管理モードに設定し、この状態で、学生がＩＤカードを読み取り装置にセットし、読み取り装置によって学生データが読み取られると、退室時間を含んだ学生の出席情報がコンピュータに上記の通りに記録され、同時に学生の出席状況や呼び出し等の関連情報が通知される。
【００１２】
よって、多人数の学生の出席登録及び退席登録の処理を短時間で正確に行うことが可能になり且つ関連情報を学生へ自動的に通知することが可能になる。また、学生の出席情報に入室時間及び退室時間が含められていることから、学生が早退した等の細かい出席状況を教員が容易に把握することができ、一層使い勝手が良いものとなる。
【００１３】
好ましくは、入力部については、マニュアル入力モードが設定可能な機能を有し、授業対象を履修する学生を特定する学生特定データに加えて、当該学生のカード忘れ情報、公欠情報、遅刻情報及び／又は早退情報その他の関連情報が入力可能なものを用いると良い。この場合の制御部は、マニュアル入力モードにおいて上記入力された学生特定データに対応する学生情報及び入力された関連情報が上記設定入力された授業特定データに対応する授業対象の出席ファイルに記録させるようになっている。
【００１４】
この発明によると、教員がコンピュータをマニュアル入力モードに設定すると、学生のカード忘れ情報、公欠情報、遅刻情報及び／又は早退情報その他の関連情報がコンピュータに入力可能となる。これらの情報が入力されると、コンピュータに上記の通りに記録される。
【００１５】
よって、学生が出席カードを忘れた場合、就職活動、課外講座、教育実習、忌引等の理由で授業を公欠、遅刻、早退した場合、このような学生自身の細かな事情を教員が容易に把握することができ、一層使い勝手が良いものとなる。
【００１６】
好ましくは、入力部については、入退室者リスト表示モードが設定可能な機能を有したものを用いると良い。この場合、制御部については、入退室者リスト表示モードにおいて上記設定入力された授業特定データに対応する授業対象の出席ファイルをファイル部から読み出し、当該授業対象を履修する全学生についての学生情報及び入室情報／退室情報を示した入退室者リストを出力部に出力させるようにする。
【００１７】
この発明によると、教員がコンピュータを入退室者リスト表示モードに設定すると、当該授業対象を履修する全学生についての学生情報及び入室情報／退室情報を示した入退室者リストがコンピュータから出力される。
【００１８】
よって、教員がコンピュータの入室者リストを通じて学生のリアルタイムな入退室状況を容易に把握することができ、一層使い勝手が良いものとなる。
【００１９】
好ましくは、入力部については、入退室履歴リスト表示モードが設定可能な機能を有したものを用いると良い。この場合の制御部については、入退室履歴リスト表示モードにおいて上記設定入力された授業特定データに対応する授業対象の出席ファイルをファイル部から読み出し、当該授業対象を履修する全学生についての学生情報及び出席情報を授業日別に示した入退室履歴リストを出力部に出力させるようにする。
【００２０】
この発明によると、教員がコンピュータを入退室履歴リスト表示モードに設定すると、当該授業対象を履修する全学生についての学生情報及び出席情報を授業日別に示した入退室履歴リストがコンピュータから出力される。
【００２１】
よって、教員がコンピュータの入退室履歴リストを通じて学生の今期の出席状況を容易に把握することができ、一層使い勝手が良いものとなる。
【００２２】
好ましくは、入力部については、集計処理モードが設定可能な機能を有したものを用いると良い。この場合の制御部については、集計処理モードにおいて上記設定入力された授業特定データに対応する授業対象の出席ファイルをファイル部から読み出し、当該授業対象を履修する全学生の出席情報に基づいて各学生の出席回数及び／又は受講時間を集計し、この集計データを学生の出席情報に含める形で当該授業対象の出席ファイルに記録させるようにする。
【００２３】
この発明によると、教員がコンピュータに授業特定データを設定入力し、集計処理モードに設定すると、コンピュータにより上記設定された授業対象の出席ファイルが読み出され、当該授業対象を履修する全学生の出席情報に基づいて各学生の出席回数及び／又は受講時間が集計され、この集計データが当該授業対象の集計ファイルに記録される。
【００２４】
よって、多人数の学生の出席登録等を行った後の集計処理を短時間で正確に行うことが可能となる。また、コンピュータに記録された集計データが含まれた学生の出席情報を通じて教員が学生の細かい出席状況を容易に把握することができ、一層使い勝手が良いものとなる。
【００２５】
ファイル部に授業対象を履修する学生の呼出状況、レポート提出状況その他の付記情報が予め記録されている場合、制御部については、リード検出部により学生データの読み取りが検出されると、当該学生データに対応する学生の出席情報及び付記情報を読み出して出力部に出力させるようにすると良い。
【００２６】
この発明によると、学生がＩＤカードを読み取り装置にセットし、読み取り装置によって学生データが読み取られると、コンピュータにより当該学生データに対応する出席情報及び付記情報が読み出され出力部に出力される。
【００２７】
よって、読み取り装置にＩＤカードをセットしたその学生のリアルタイムな出席状況、呼出状況又はレポート提出状況等を教員と学生の両者が容易に把握することができ、一層使い勝手が良いものとなる。
【００２８】
好ましくは、ＩＤカードについては、表面に学生の氏名等が明記されたベース板材と、ベース板材に貼り付けられたＲＦＩＤ(Radio Frequency IDentification)タグと、ベース板材及びＲＦＩＤタグの外面を覆う透明のラミネートフィルムとを有したものを用いると良い。この場合、ラミネートフィルムの縁部に切れ目を形成することが望ましい。
【００２９】
この発明によると、ＲＦＩＤタグの再使用が容易となり、ＩＤカードのコストを低く抑えることができ、この点で一層実用的なシステムとなる。特に、ラミネートフィルムの縁部に切れ目を入れた場合、ラミネートフィルムを切り破り易いことから、ベース板材の交換等が容易となり、この点でＩＤカードのコストを一層低く抑えることができる。
【００３０】
本発明に係るプログラムは、コンピュータを少なくとも上記リード検出部及び制御部として機能させるようになっている。また、本発明に係る記録媒体は、このプログラムが記録され、コンピュータに読み取り可能になっている。
【発明を実施するための最良の形態】
【００３１】
以下、本発明の実施の形態を図１乃至図９を参照して説明する。図１は授業支援システムＡの構成図、図２乃至図４は同システムのコンピュータ３により処理されるプログラムＢ１乃至Ｂ３を示している。図１中１は出席カード、２は読み取り装置、３はコンピュータである。なお、本実施形態に係る発明構成部分と特許請求の範囲に記載された発明特定事項との対応関係については下記の符号の説明にその一部を示している。
【００３２】
授業支援システムＡは、学生データが予め記録された出席カード１と、プログラムＢ１乃至Ｂ３等を処理するコンピュータ３と、コンピュータ３に接続され且つＩＤカード１に記録された学生データを読み取る読み取り装置２とを備えている。
【００３３】
出席カード１は学校から学生に予め配布された名刺サイズのＩＤカードであって、表面に学生の氏名等（図示省略）が明記された紙等のベース板材１１と、ベース板材１１の裏面に貼り付けられたＲＦＩＤタグ１２と、ベース板材１１及びＲＦＩＤタグ１２の外面を覆う透明の樹脂製のラミネートフィルム１３とを有している。
【００３４】
ＲＦＩＤタグ１２については、２. ４５ＧＨｚの高周波アナログ回路と１２８ビットのＲＯＭを０. ４ｍｍ角のチップサイズ中に集積した非接触ＩＣチップを使用している。このようなＲＦＩＤタグ１２へ学生データとして記録されているのは学生情報に対応するシリアル番号であって、本実施形態において学生データは、学校が学生一人一人に割り当てた１２８ビットのＩＰアドレスを使用している。
【００３５】
出席カード１については今期の授業が全て終了した時点で学校又は教員が回収し、ＲＦＩＤタグ１２のみを取り出している。この際、ＲＦＩＤタグ１２を傷めることなくラミネートフィルム１３を切り破り易くするために、ラミネートフィルム１３の縁部に三角状の切れ目１３１を形成している。取り出したＲＦＩＤタグ１２については次年度用の出席カード１の作製に再利用される。
【００３６】
読み取り装置２はコンピュータ３に外付けされたアンテナ一体据置型のＲＦＩＤリーダーであって、最大読み取り距離が数センチオーダーとなっている。即ち、出席カード１がセットされると、ＲＦＩＤタグ１２から発せられた電波を受信して学生データを読み取り、読み取り結果をデジタル信号としてケーブル２１を通じてコンピュータ３に出力するようになっている。ケーブル２１の長さは教員が出席カード１の読み取り状況を視認できる程度の数メートル以内に設定されている。
【００３７】
コンピュータ３は学校が教員に供与した又は教員が所有するノート型の汎用パソコンであって、本システムに関係した各種データを記憶するファイル部３１と、ファイル部３１上の各種データを出力可能な出力部３２と、教員が行なう授業対象を特定する授業特定データが少なくとも設定入力可能な入力部３３と、読み取り装置２の出力に基づいて学生データが読み取られたか否かを検出するリード検出部３４と、リード検出部３４の検出結果に基づいて少なくとも当該学生データに対応する学生の出席情報を上記設定入力された授業特定データに対応する授業対象の出席ファイル３１１に記録させる制御部３５と、プログラムＢ１，Ｂ２，Ｂ３等が予め記録されたメモリ部３６と、音を発するスピーカー部３７とを有している。
【００３８】
ファイル部３１については、具体的にはコンピュータ３に備えられたハードディスク、ＲＡＭ(Random Access Memory)、又はコンピュータ３に接続可能なＵＳＢ（Universal Serial Bus) メモリ等の外部メモリである。
【００３９】
ファイル部３１には授業科目ファイル、出席カード登録ファイル、集計ファイル及び出席ファイル３１１等が記録される。但し、出席ファイル３１１以外は図１中省略されている。
【００４０】
授業科目ファイルには、授業科目、期区分、履修曜日、時限、授業日及び授業担当者等の情報が含まれている。これらの全ての情報又はその一部が授業対象を特定するための授業特定データとなっている。
【００４１】
出席カード登録ファイルには、授業対象を履修する全学生についての氏名、学生番号及びＩＰアドレス等の情報が含まれている。これらの全ての情報又はその一部が授業対象を履修する学生を特定する学生特定データとなっている。
【００４２】
出席ファイル３１１には、授業特定データ及び学生特定データの他、授業対象を履修する全学生についての出席情報及び関連情報が含まれており、授業対象毎のファイルとなっている。なお、学生特定データ及び授業特定データについては、授業科目ファイル及び出席カード登録ファイルと関連付けられている。
【００４３】
集計ファイルには、授業対象を履修する全学生についての氏名、学生番号及び出席ファイル３１１の出席情報及び関連情報を授業日毎に集計した情報が含まれている。これらの全ての情報又はその一部が授業対象を履修する学生の出席を特定する出席集計データとなっている。
【００４４】
学生の出席情報には、授業対象が行なわれた授業日、学生が授業対象に係る教室へ入室した入室時間、同教室から退室した退室時間等の情報が含まれ、学生毎のリストとなっている。
【００４５】
学生の関連情報は、学生の授業出席率（出席回数／授業回数（図５中においては記録回数））、レポート提出率（提出数／課題数）、カード忘れ情報、公欠情報（就職活動、課外講座、教育実習、忌引又はインターンシップ等の公欠理由）等が含まれ、学生毎のリストとなっている。学生の呼び出し情報（教務課、学生課、就職課又は庶務課等の呼び出し部局の名称）も関連情報に含められている。
【００４６】
上記した授業科目ファイル及び出席カード登録ファイルについては、本システムを動作させるために必要であるので、ファイル部３１等に予め記録するようにしておく。出席ファイル３１１等については、本システムを動作させる一連の過程で自動的に作成され、これがファイル部３１に随時記録されるようになっている。
【００４７】
なお、コンピュータ３が学内のＬＡＮ(Local Area Network)に接続されているのであれば、ＬＡＮを通じて他のコンピュータ３のディスク等へ必要に応じてアクセスし、このディスク等に記録された授業科目ファイル及び出席カード登録ファイル等をコンピュータ３のファイル部３１に転送するようにしても良い。
【００４８】
本システムの主たる機能は、授業科目ファイル及び出席カード登録ファイル等を参照して出席情報に基づいて出席ファイル３１1を作成する機能と、出席ファイル３１１等から必要なデータを出力部３２に表示出力する機能となっている。
【００４９】
入力部３３については、具体的にはコンピュータ３に接続されたキーボード、マウス等である。出力部３２については、具体的にはコンピュータ３に接続されたディスプレイであり、プリンター等も対象に含まれる。
【００５０】
図５乃至図９はコンピュータ３の出力部３２の各種画面を示す図である。図５は本システムの立ち上げ画面であって、入室管理モード／退出管理モード時の出席登録画面１００、図６はマニュアル入力モード時のカード忘れ等の処理画面２００、図７は集計処理モードが行なわれる直前の出席集計の処理画面３００、図８は入退室者リスト表示モード時の表示画面４００、図９は入退室履歴リスト表示モード時の表示画面５００を各々示している。
【００５１】
入力部３３を通じて入室管理モード、退出管理モード、入退室者リスト表示モード、入退室履歴リスト表示モード、マニュアル入力モード、集計処理モードの切り換え等が可能になっており、各画面中のボタン等を通じて本システムに関係した所定の事項が入力可能になっている。また、出力部３２の各画面を通じて本システムに関係した各種データが表示出力可能になっている。なお、このような入力部３３及び出力部３２の各機能は当然に制御部３５との関連において発揮されるようになっている。
【００５２】
ここでいう入室管理モードとは、出席カード１を用いて学生の入室確認と記録を行なう機能をいう。退室管理モードとは、出席カード１を用いて学生の退室確認と記録を行なう機能をいう。入退室者リスト表示モードとは、学生の入室／退席の状況を表示出力する機能をいう。入退室履歴リスト表示モードとは、学生の出席履歴を授業日別に表示出力する機能をいう。集計処理モードとは、入室管理モード及び退室管理モードにより取得した学生の出席情報に基づいて授業対象における全学生の出席回数及び受講時間を集計して記録する機能をいう。
【００５３】
入室管理モード及び退室管理モードにおいて、具体的には、図５に示す出席登録画面１００中のコンボボックス１０１により授業特定データが設定入力可能になっている。入室ボタン１０２、退出ボタン１０３により入室管理モード、退室管理モードの切り換えが可能になっている。現在の入室ボタン１１１、入退室履歴ボタン１１２により入退出者リスト表示モード、入退室履歴リスト表示モードが設定可能になっている。カード忘れボタン１１６、公欠ボタン１１７を通じてカード忘れ用、公欠用のマニュアル入力モードの切り換えが可能になっている。
【００５４】
エリア１０５により教室に入室又は退室する学生の学生番号（図中ａａａａで模式的表示  図６乃至図９についても同様）、氏名（図中ｂｂｂｂで模式的表示  図６、図７及び図９についても同様）、入室／退室の区別（図中ｃｃで模式的表示）、入室時間／退室時間（図中ｄｄｄｄで模式的表示  図６及び図７についても同様）がスクロールして表示出力可能になっている。エリア１１３、１１４、１１５により学生の授業出席率（図５中に示す例の１０／１２は１２回の授業に１０回出席したことを意味する。）、レポート提出率（図５中に示す例の３／５は５つのレポートに対して３回提出したことを意味する。）、呼び出し情報（図５中に示す例の教務課は、教務課から読み出しを受けていることを意味する。）が表示出力可能になっている。
【００５５】
課題ボタン１０８により別画面を通じてレポート提出の有無が入力可能になっている。呼び出しボタン１０９により別画面を通じて呼び出し情報が入力可能になっている。コンボボックス１１０により表示する呼出情報を過去に遡る授業回数が設定可能になっている。コンボボックス１０６によりエリア１０５等に一学生当たりの各種情報の表示時間が設定可能になっている。
【００５６】
カード忘れ用、公欠用のマニュアル入力モードにおいて、具体的には、図６に示すカード忘れ等の処理画面２００中のコンボボックス２０２及びエリア２０３により授業特定データが設定入力可能になっている。エリア２０１により当該授業特定データに含まれた授業科目の科目名、期区分の情報が表示出力可能になっている。エリア２０４により入室時間、退室時間が設定入力可能になっている。各種ボタン２０６によりカード忘れ情報及び公欠情報等が別々に入力可能になっており、その種類がエリア２０７へ表示出力可能になっている。エリア２０７により各種ボタン２０６以外の公欠情報、遅刻情報及び早退情報等が入力可能になっている。
【００５７】
集計処理モードにおいて、具体的には、図７に示す出席集計の処理画面３００中のコンボボックス３０１により授業特定データが設定入力可能になっている。エリア３０２により設定入力された授業対象が表示出力可能になっている。エリア３０３により設定入力された授業対象を履修する全学生の学生番号、氏名、入室時間／退室時間、入室／退室の区別が表示出力可能になっている。集計ボタン３０４により集計処理モードの設定入力が可能になっている。
【００５８】
入退室者リスト表示モードにおいて、具体的には、図８に示す表示画面４００中のエリア４０１には学生の学生番号／氏名、エリア４０２には学生の入室／退室状況（例えば、●で入室、○で退室を示す）が表示出力可能になっている。学生番号／氏名切替ボタン４０３により表示出力が学生番号のみと学生番号及び氏名との切り替え可能になっている。これが入退室者リストである。エリア４０４により設定入力された授業対象が表示出力可能になっている。また，エリア４0１に表示される学生番号／氏名のフォントサイズと表示行数も設定可能になっている。
【００５９】
入退室履歴リスト表示モードにおいて、具体的には、図９に示す表示画面５００中のエリア５０１、５０２により学生の学生番号、氏名が表示出力可能になっている。エリア５０３により授業日、学生の出席／欠席情報（図９中に示す例では、○で出席、ブランクで欠席を示す。）が表示出力可能になっている。これが入退室履歴リストである。エリア５０５により設定入力された授業対象が表示出力可能になっている。
【００６０】
図１に示すメモリ部３６については、具体的にはコンピュータ３に搭載されたハードディスク又はＲＯＭ(Read Only Memory)又はコンピュータ３に接続可能なＣＤ(Compact Disc)、ＵＳＢメモリ等の外部メモリであり、図２、３、４に示されたプログラムＢ１、Ｂ２、Ｂ３が予め記録されている。なお、メモリ部３６とファイル部３１とを同一の記録媒体で共用するようにしても良い。
【００６１】
スピーカー部３７については、具体的にはコンピュータ３に搭載されたスピーカーであり、読み取り装置２が出席カード１に記録された学生データを読み取ると、そのタイミングで音を発するようになっている。
【００６２】
リード検出部３４及び制御部３５については、具体的にはコンピュータ３のＣＰＵ(Central Processing Unit) であり、メモリ部３６に記録されたプログラムＢ１乃至Ｂ３等を処理する過程でリード検出部３４及び制御部３５等としての機能を発揮するようになっている。以下、プログラムＢ１の内容を図１、図２、図５を参照しつつ説明する。
【００６３】
メモリ部３６に記録されたプログラムＢ１を読み出して処理すると、本システムが立ち上がり、出力部３２に出席登録画面１００を表示出力する（ｓ１−１）。そして、コンボボックス１０１により授業特定データが設定入力されると、設定入力された授業特定データの内容及び現在の時刻をエリア１０４へ上下に並べて表示出力する（ｓ１−２）。
【００６４】
この初期状態において、入室ボタン１０２がクリックされると、入室管理モードとなり、読み取り装置２の出力をリード検出部で検知し、その出力に基づいて出席カード１がセットされて学生データが読み取られたか否かを検出する（ｓ１−３）。
【００６５】
学生データの読み取りが検出されると、スピーカー部３７を短く駆動させて音を鳴らすとともに、ファイル部３１から当該授業特定データに対応する出席カード登録ファイルを読み出して、読み取られた学生データを含んだ学生特定データを検索する。
【００６６】
そして、ファイル部３１から当該授業特定データに対応する出席ファイル３１１を開け、当該学生特定データ、及び学生データが読み取られた時点の入室時間を学生の出席情報としてファイル部３１に記録させる。また、ファイル部３１から当該学生データに対応する学生の関連情報を読み出し、読み出された関連情報に含まれる授業出席率、レポート提出率、呼び出し情報をエリア１１３、１１４、１１５に各々表示出力させる（ｓ１−４）。
【００６７】
このような出席カード１の読み取りの処理が終了すると、再び出席カード１から学生データを読み取るステップｓ１−３に戻り、同様の処理を繰り返し行なう。その後、退出ボタン１０３がクリックされると（ｓ１−５）、上記繰り返し処理から抜けて、退室管理モードとなり、読み取り装置２の出力をリード検出部で検知し、その出力に基づいて学生データが読み取られたか否かを検出する（ｓ１−６）。
【００６８】
学生データの読み取りが検出されると、スピーカー部３７を短く駆動させて音を鳴らすとともに、ファイル部３１から当該授業特定データに対応する出席カード登録ファイルを読み出して、読み取られた学生データを含んだ学生特定データを検索する。
【００６９】
そして、ファイル部３１から当該授業特定データに対応する出席ファイル３１１を開け、当該学生特定データ、及び学生データが読み取られた時点の退室時間を学生の出席情報としてファイル部３１に記録させる。また、ファイル部３１から当該学生データに対応する学生の関連情報を読み出し、読み出された関連情報に含まれる授業出席率、レポート提出率、呼び出し情報をエリア１１３、１１４、１１５に各々表示出力させる（ｓ１−７）。
【００７０】
このような出席カード１の読み取りの処理が終了すると、再び出席カード１から学生データを読み取るステップｓ１−６に戻り、同様の処理が繰り返し行なう。その後、終了ボタン１０７がクリックされると（ｓ１−８）、上記繰り返し処理から抜けて、プログラムＢ１の処理が終了となる。
【００７１】
本システムが立ち上がった状態で、出席登録画面１００中の現在の入室ボタン１１１がクリックされると、割り込み処理となり、入退室者リスト表示モードに切り換えられる一方、入退室履歴ボタン１１２がクリックされると、割り込み処理となり、入退室履歴表示モードに切り換えられる。これらの割り込み処理のプログラムの内容は以下の通りである。
【００７２】
入退室者リスト表示モードにおいては、ファイル部３１から当該授業特定データに対応する授業対象の出席ファイル３１１を開け、学生の出席情報を読み出し、当該授業対象を履修する全学生についての学生情報及び入室情報／退室情報を示した入退室者リストを出力部３２に表示出力させる。
【００７３】
入退室履歴表示モードにおいては、ファイル部３１から当該授業特定データに対応する授業科目の出席ファイル３１１を開け、学生の出席情報を読み出し、当該授業対象を履修する全学生についての学生情報及び出席情報を授業日別に示した入退室履歴リストを出力部３２に表示出力させる。
【００７４】
また、本システムが立ち上がった状態で、出席登録画面１００中のカード忘れボタン１１６がクリックされると、割り込み処理となり、メモリ部３６に記録されたプログラムＢ２が処理され、カード忘れ用のマニュアル入力モードに切り換えられる。以下、同モードに関するプログラムＢ２の内容を図１、図３、図６を参照しつつ説明する。
【００７５】
まず、出力部３２の画面を切り換えて図６に示すカード忘れ等の処理画面２００を表示出力させる。と同時に、エリア２０１には、当該授業特定データの科目名、期区分の情報が上下に並べて表示出力させる（ｓ２−１）。
【００７６】
このような初期状態でコンボボックス２０２により学生特定データの学生番号あるいは氏名が設定入力されると（ｓ２−２）、エリア２０３により授業対象の日付が、エリア２０４により授業時限選択ボタン２１０で選択した授業時限の入室時間／退室時間が、各種ボタン２０６によりカード忘れ情報が各々入力可能になる（ｓ２−３）。
【００７７】
この状態で、出席記録の追加ボタン２０８がクリックされると、ファイル部３１から当該授業特定データに対応する出席ファイル３１１を開け、当該学生特定データ、入力された入室時間／退室時間を学生の出席情報としてファイル部３１に記録させる。また、当該学生特定データに対応する学生の関連情報としてカード忘れ情報をファイル部３１に記録させる（ｓ２−４）。
【００７８】
その後、キャンセルボタン２０９がクリックされると、プログラムＢ２の割り込み処理が終了し、出力部３２の画面がカード忘れ等の処理画面２００から出席登録画面１００に戻る。
【００７９】
一方、図５に示す出席登録画面１００中の公欠ボタン１１７がクリックされると、割り込み処理となり、メモリ部３６に記録されたプログラムＢ２が処理され、公欠用のマニュアル入力モードに切り換えられる。以下、同モードに関するプログラムＢ２の内容を図１、図３及び図６を参照しつつ説明する。
【００８０】
まず、出力部３２の画面を切り換えて図６に示すカード忘れ等の処理画面２００を表示出力させる。と同時に、エリア２０１には、当該授業特定データの科目名、期区分が上下に並べて表示出力させる（ｓ２−１）。
【００８１】
このような初期状態でコンボボックス２０２により学生特定データの学生番号あるいは氏名が設定入力されると（ｓ２−２）、エリア２０３により授業対象の日付が、エリア２０４により授業時限選択ボタン２１０で選択した授業時限の入室時間／退室時間が、各種ボタン２０６及びエリア２０７により就職活動、課外講座、忌引、教育実習、インターシップ等の公欠情報の他、遅刻情報及び早退情報等が各々入力可能になる（ｓ２−３）。
【００８２】
この状態で、出席記録の追加ボタン２０８がクリックされると、ファイル部３１から当該授業特定データに対応する出席ファイル３１１を開け、当該学生特定データ、入力された入室時間／退室時間を学生の出席情報としてファイル部３１に記録させる。また、当該学生特定データに対応する学生の関連情報として入力された公欠情報、遅刻情報又は早退情報等をファイル部３１に記録させる（ｓ２−４）。
【００８３】
その後、キャンセルボタン２０９がクリックされると、プログラムＢ２の処理が終了し、出力部３２の画面がカード忘れ等の処理画面２００から出席登録画面１００に戻る。
【００８４】
次に、プログラムＢ３の内容を図１、図４及び図７を参照しつつ説明する。コンピュータ３を用いてメモリ部３６に記録されたプログラムＢ３を読み出して集計処理する。
【００８５】
まず、図７に示す出席集計の処理画面３００を出力部３２に表示出力すると集計処理モードに移行する（ｓ３−１）。コンボボックス３０１により授業特定データが設定入力されると、エリア３０２に設定入力された授業特定データの内容を表示出力させる（ｓ３−２）。そして、集計ボタン３０４がクリックされると、ファイル部３１から当該授業特定データに対応する授業対象の出席ファイル３１１を開け、その授業対象を履修する全学生の学生番号、氏名、当該学生の入室時間／退室時間、入室／退室の区別等を読み出し、これらの情報をエリア３０３に表示出力させる（ｓ３−３）。
【００８６】
同時にこの状態で、ファイル部３１から読み出した当該授業対象を履修する全学生の出席情報に基づいて各学生の出席回数及び受講時間等を集計し、この集計データを学生の出席情報に含める形で当該授業対象の集計ファイルをファイル部３１に記録させる（ｓ３−４）。その後、終了ボタン３０５がクリックされると、プログラムＢ３の処理が終了となる。
【００８７】
このように構成された授業支援システムの使用方法を説明する。教員が授業開始時の出席登録を行うに際し、コンピュータ３に読み取り装置２を接続し、この状態で、読み取り装置２を机の上等に配置する。そして、本システムを立ち上げて上記の通りに授業特定データを入力し、初期状態にして入室管理モードを設定する。
【００８８】
そして、教室内の学生が読み取り装置２に出席カード１を順番にセットする。すると、出席カード１に記録された学生データが読み取り装置２により順次読み取られ、学生の入室時の出席情報が上記した通りにコンピュータ３のファイル部３１へ自動的に順次記録される。授業開始後に遅れて入室した学生についても全く同様である。
【００８９】
授業中において教員が入退室者リスト表示モードに切り換えると、コンピュータ３の出力部３２へ図８に示すような入退室者リストが表示出力される。また、教員が入退室履歴リスト表示モードに切り換えると、コンピュータ３の出力部３２へ図９に示すような入退室履歴リストが表示出力される。
【００９０】
教員が授業終了時の退席登録を行うに際しては、退室管理モードを設定するだけで良い。この場合についても教室内に居る学生が読み取り装置２に出席カード１を順番にセットする。すると、出席カード１に記録された学生データが読み取り装置２により順次読み取られ、学生の退室時の出席情報が上記した通りにコンピュータ３のファイル部３１へ自動的に順次記録される。退室管理モードに切り換えられる前に退室した学生については退室情報が記録されない。
【００９１】
また、出席カード１を忘れた学生については、教員がカード忘れ用のマニュアル入力モードを用いて、上記した通りに当該学生の出席情報等をコンピュータ３に入力して記録させる。さらに、学生が就職活動、課外講座、教育実習、忌引又はインターンシップ等で授業を公欠、遅刻又は早退等をする場合には、教員にその旨を報告するようにする。教員は、本システムを立ち上げ、上記の通りに授業特定データを入力し、公欠用のマニュアル入力モードを用いて当該学生の公欠情報等をコンピュータ３のファイル部３１に記録させる。
【００９２】
このようにしてコンピュータ３に学生の出席情報や公欠情報等が記録された後、教員が出席情報を集計する際には、本システムを立ち上げ、上記の通りに授業特定データを入力して、集計処理モードを用いて自動的に集計してコンピュータ３のファイル部３１に記録させる。
【００９３】
上記したように本システムについては、出席カード１、コンピュータ３及び読み取り装置２という非常に簡単な構成であり、出席カード１のＲＦＩＤタグ１２が再利用可能である点も含めて、低コスト化を図ることが可能である。また、学生の出席登録、退席登録及び関連情報の通知、集計作業の各処理がスピーディ且つ確実に行なうことが可能であることから、教員及び学生の双方にとって非常に使い勝手が良い。しかも教員の面前又はその近くで出席カード１の読み取りが行なわれる形になることから、学生が不正を行い難いシステムとなっている。
【００９４】
なお、本発明に係る授業支援システムについては、大学、高等学校、中学校又は小学校等の授業の出席記録等を行なうだけの適用に止まらず、これらの学校に準ずる予備校等又は一般的なセミナー等においても上記と同様に適用可能である。また、同システムの構成については、上記実施形態に限定されず、以下のように設計変更してもかまわない。例えば、学生用のＩＤカードについては、学生データの記録方式が問われず、磁気やバーコード等で記録する形態であっても良い。学生データの内容についても学生を特定し得るデータであれば特に問われず、テキストデータだけでなくイメージデータであっても良い。教員用のコンピュータについては、携帯型、教室設置型を問われず、デスクトップ型コンピュータ等であっても良い。読み取り装置については、ＩＤカードの学生データの記録方式に応じた種類のものを使用すれば良く、コンピュータと一体型になったものでもかまわない。コンピュータについては、リード検出部及び制御部としての機能をハードウエアで実現するようにしても良い。ファイル部３１については、出席ファイル３１１のデータ形式等が問われず、出力部については、音声出力方式のものを使用しても良い。
【００９５】
本発明に係るプログラムについては、リード検出部及び制御部としての機能を有する内容である限り、どのように設計変更しても良い。本発明に係る記憶媒体については、当該プログラムを記録する限り、その媒体としての種類に限定されることはない。
【図面の簡単な説明】
【００９６】
【図１】本発明の実施の形態に係る授業支援システムの構成図である。
【図２】同システムのコンピュータのメインプログラムであって、入室管理モード及び退室管理モードにおいて処理を実行するプログラムのフローチャートである。
【図３】同システムのコンピュータの割り込みプログラムであって、マニュアル入力モードにおいて処理を実行するプログラムのフローチャートである。
【図４】同システムのコンピュータにより処理される割り込みプログラムであって、集計処理モードにおいて処理を実行するプログラムのフローチャートである。
【図５】同コンピュータの出力部に表示出力される一部省略画面であって、入室管理モード及び退出管理モードにおける出席登録画面である。
【図６】同コンピュータの出力部に表示出力される一部省略画面であって、マニュアル入力モードおけるカード忘れ等の処理画面である。
【図７】同コンピュータの出力部に表示出力される一部省略画面であって、集計処理モードが行なわれる直前の出席集計の処理画面である。
【図８】同コンピュータの出力部に表示出力される一部省略画面であって、入退室者リスト表示モードにおける表示画面である。
【図９】同コンピュータの出力部に表示出力される一部省略画面であって、入退室履歴リスト表示モードにおける表示画面である。
【符号の説明】
【００９７】
Ａ  授業支援システム
１  出席カード（学生用のＩＤカード）
１１  ベース板材
１２  ＲＦＩＤタグ
１３  ラミネートフィルム
１３１  切れ目
２  読み取り装置
３  コンピュータ（教員用のコンピュータ）
３１  ファイル部
３２  出力部
３３  入力部
３４  リード検出部
３５  制御部
３６  メモリ部（コンピュータに読み取り可能な記録媒体）
Ｂ１，Ｂ２，Ｂ３  プログラム
【図１】
2009163343.tif 000003
【図２】
2009163343.tif 000004
【図３】
2009163343.tif 000005
【図４】
2009163343.tif 000006
【図５】
2009163343.tif 000007
【図６】
2009163343.tif 000008
【図７】
2009163343.tif 000009
【図８】
2009163343.tif 000010
【図９】
2009163343.tif 000011